(57)【要約】【課題】１つの面とその背面とに表示部を備えた筐体構造であっても、それぞれにバックライトを備えることによる厚みや重さを発生させず、そのバックライトのコストも発生させないようにする。【解決手段】貫通穴３４ａが形成されたプラスチック製の支持体であるフレーム３４における、メインスクリーン１４ａ，２４ａと平行である平面部分に、そのメインスクリーン１４ａ，２４ａと対向する面からバックライト３３、調節部３５、メインＬＣＤ３１がこの順に順次貼設されると共に、そのサブスクリーン１５ａ，２５ａと対向する面からサブＬＣＤ３２が貼設されて構成される。【選択図】　　　　図８
2004021238.tif 000002
【特許請求の範囲】
【請求項１】
所定の面と当該面の背面とにそれぞれ表示手段を備えた表示デバイスであって、
前記表示手段の複数を照明する１つの照明手段を具備したことを特徴とする表示デバイス。
【請求項２】
所定の面と当該面の背面とからそれぞれ表示手段を配設され、前記所定の面側の表示手段と前記背面側の表示手段との間に各表示手段を透過により照明する１つの照明手段を具備し、
前記各表示手段と前記照明手段とを１つの平面により支持する支持体には、前記平面に前記１つの照明手段により前記各表示手段を照明可能とさせる所要広さの貫通穴が形成されたことを特徴とする表示デバイス。
【請求項３】
前記照明手段は、
複数の照光部と、当該複数の照光部からの光を前記各表示手段の全面に拡散させる導光部と、反射部とを備えてなり、
前記反射部は、前記各表示手段の内の最大面積である表示手段における表示面の全面に前記複数の照光部からの光を反射させる半透過型であることを特徴とする請求項２記載の表示デバイス。
【請求項４】
所定の面と当該面の背面とにそれぞれ表示手段を備えた携帯端末装置であって、
前記表示手段の複数を照明する１つの照明手段を具備したことを特徴とする携帯端末装置。
【請求項５】
メイン表示手段と、当該メイン表示手段の背面のサブ表示手段とを備え、前記メイン表示手段を被装すると共に前記サブ表示手段を露出させる形態と、前記メイン表示手段と前記サブ表示手段とを露出させる形態とを取り得るよう変形可能に構成された携帯端末装置であって、
前記メイン表示手段と前記サブ表示手段とを透過により照明する１つの照明手段を具備したことを特徴とする携帯端末装置。
【請求項６】
メイン表示手段と当該メイン表示手段の背面のサブ表示手段とを備えた表示側端末本体と、操作ボタンを備えた操作側端末本体とが、前記メイン表示手段と前記操作ボタンとが対向するようヒンジ部を介して開閉可能に連結されてなる携帯端末装置であって、
前記表示側端末本体は、前記メイン表示手段と前記サブ表示手段とを透過により照明する１つの照明手段を具備したことを特徴とする携帯端末装置。
【請求項７】
メイン表示手段と当該メイン表示手段の背面のサブ表示手段とを備えた表示側端末本体と、操作ボタンを備えた操作側端末本体とが、１つの端末本体に配設されたスライド部と他の端末本体に配設されて該スライド部を滑動可能に支持する滑合支持部とにより、前記操作側端末本体で前記メイン表示手段を被装可能に連結されてなる携帯端末装置であって、
前記表示側端末本体は、前記メイン表示手段と前記サブ表示手段とを透過により照明する１つの照明手段を具備したことを特徴とする携帯端末装置。
【請求項８】
前記携帯端末装置が前記メイン表示手段を被装する形態であるか否かを検知する検知手段と、
前記検知手段により前記被装する形態と検知された場合に前記照明手段への給電量を前記被装する形態でない場合よりも少なくするよう制御する制御手段と、を具備したことを特徴とする請求項５記載の携帯端末装置。
【請求項９】
前記操作側端末本体が前記ヒンジ部により閉じられて前記メイン表示手段を被装する形態であるか否かを検知する検知手段と、
前記検知手段により前記被装する形態と検知された場合に前記照明手段への給電量を前記被装する形態でない場合よりも少なくするよう制御する制御手段と、を具備したことを特徴とする請求項６記載の携帯端末装置。
【請求項１０】
前記操作側端末本体が前記メイン表示手段を被装する形態であるか否かを検知する検知手段と、
前記検知手段により前記被装する形態と検知された場合に前記照明手段への給電量を前記被装する形態でない場合よりも少なくするよう制御する制御手段と、を具備したことを特徴とする請求項７記載の携帯端末装置。
【請求項１１】
前記検知手段は、１つの端末本体に配設されたマグネットと、前記被装する形態で該マグネットに反応可能であるよう他の端末本体に配設された磁気反応型スイッチとを備えてなり、
前記検知手段による前記被装する形態であるか否かの検知は、前記マグネットと前記磁気反応型スイッチとの距離が前記磁気反応型スイッチの反応する距離であるか否かにより行うことを特徴とする請求項８から１０の何れか１項に記載の携帯端末装置。
【請求項１２】
前記表示側端末本体は、１つの面から前記メイン表示手段と前記照明手段とが配設されると共に、当該面の背面から前記サブ表示手段が配設された支持体を備え、
前記照明手段は前記メイン表示手段の表示面全体を照明可能であるよう当該メイン表示手段と前記支持体との間に配設され、
前記支持体には、前記メイン表示手段より表示面における縦横とも小さいサイズである前記サブ表示手段の表示面全体を前記照明手段により照明可能とさせる所要広さの貫通穴が形成されたことを特徴とする請求項８から１１の何れか１項に記載の携帯端末装置。
【請求項１３】
前記照明手段は、当該照明手段の表示面方向における前記貫通穴以外の位置に配設された複数の照光部と、該複数の照光部からの光を前記メイン表示手段と前記サブ表示手段との表示面全体に導光する導光部と、を備えてなり、
前記制御手段は、前記検知手段により前記被装する形態と検知された場合に前記サブ表示手段の表示面近傍である所定の照光部のみに給電することを特徴とする請求項１２記載の携帯端末装置。
【請求項１４】
前記照明手段は、当該照明手段の表示面方向における前記貫通穴以外の位置に配設された複数の照光部と、該複数の照光部からの光を前記メイン表示手段と前記サブ表示手段との表示面全体に導光する導光部と、を備えてなり、
前記制御手段は、前記検知手段により前記被装する形態と検知された場合には前記サブ表示手段の表示面から近い順に略半分の照光部のみに給電することを特徴とする請求項１２記載の携帯端末装置。
【発明の詳細な説明】
【０００１】
【発明の属する技術分野】
本発明は、各種の情報を表示する表示部を、１つの面とその面の背面とにそれぞれ備えた携帯形電話機などの携帯端末装置と、その携帯端末装置に使用される表示デバイスとに関する。
【０００２】
【従来の技術】
従来より、メイン表示部を被装する形態とメイン表示部を被装しない（露出する）形態とを選択的にとりうるよう変形可能に構成された携帯端末装置には、そのメイン表示部に加えて、その背面にサブ表示部を配設したものがある。
この複数の表示部を配設した携帯端末装置には、例えば２つの筐体が変形可能に連結されてなる携帯電話があるが、このものはメイン表示部が被装された形態であってもサブ表示部により使用者に時刻や着信通知などの情報を見せることができ、使用者の使い勝手や利便性において極めて好適なものとなっており、各種のモデルが市販されて好評を博している。
【０００３】
図１４は、上記した従来の携帯端末装置の表示デバイス近傍における概要を示す拡大縦断面図である。この従来の携帯端末装置における表示デバイスは、図１４に示されるように、メインＬＣＤ（Ｌｉｑｕｉｄ　Ｃｒｙｓｔａｌ　Ｄｉｓｐｌａｙ）５１と、そのメインＬＣＤ５１の透過照明を行うバックライト５３と、サブＬＣＤ５２と、そのサブＬＣＤ５２の透過照明を行うバックライト５３’とが、フレーム５４のそれぞれの面に両面テープ（不図示）により貼設されてなり、そのメインＬＣＤ５１がメインスクリーン６２を通して、サブＬＣＤ５２がサブスクリーン６３を通して、それぞれ使用者から見えるよう携帯端末装置の筐体６１に配設されている。このことにより、メインＬＣＤ５１とメインスクリーン６２とを備えたメイン表示部と、サブＬＣＤ５２とサブスクリーン６３とを備えたサブ表示部とは、それぞれのバックライトからの透過照明により使用者に対して各種の情報を表示する。
【０００４】
【発明が解決しようとする課題】
しかしながら、上記した従来の携帯端末装置では、上記メイン表示部にバックライト５３が、上記サブ表示部にバックライト５３’が、それぞれを照明するよう設けられているため、表示デバイスにバックライトが２組配設される構成となっていた。
すなわち、このバックライト５３，５３’は、ＬＥＤ（Ｌｉｇｈｔ　Ｅｍｉｔｔｉｎｇ　Ｄｉｏｄｅ）と導光板と反射シートとを備えたものであるが、これらがそれぞれ２組必要となるため、その厚みや重さが発生するとともに、コストもかかってしまっていた。
【０００５】
また、例えばメイン表示部とサブ表示部との両方を使用者が活用できるように照明しようとすると、バックライト５３，５３’を同時に点灯させる必要があり、両方のバックライトにより電力を消費することとなってしまう。
一般に携帯端末装置は内蔵電源により動作するため、消費電力が増大すると連続動作時間が短くなってしまうこととなる。
【０００６】
本発明はこのような状況に鑑みてなされたもので、以下の目的を有する。
第１の目的は、１つのバックライト（照明手段）が複数の表示部を照明する構成とすることにより、バックライトを２組とすることによる厚みや重さを発生させず、そのバックライトのコストも発生させない表示デバイス及び携帯端末装置を提供することである。
【０００７】
第２の目的は、メイン表示部とサブ表示部との両方を同時に照明しても、２組のバックライトによる電力消費を行うことのない表示デバイス及び携帯端末装置を提供することである。
【０００８】
【課題を解決するための手段】
かかる目的を達成するために、本発明は以下の特徴を有する。
請求項１記載の発明は、所定の面と当該面の背面とにそれぞれ表示手段を備えた表示デバイスであって、表示手段の複数を照明する１つの照明手段を具備したことを特徴とする。
【０００９】
請求項２記載の発明は、所定の面と当該面の背面とからそれぞれ表示手段を配設され、所定の面側の表示手段と背面側の表示手段との間に各表示手段を透過により照明する１つの照明手段を具備し、各表示手段と照明手段とを１つの平面により支持する支持体には、平面に１つの照明手段により各表示手段を照明可能とさせる所要広さの貫通穴が形成されたことを特徴とする。
【００１０】
請求項３記載の発明は、上記した照明手段が、複数の照光部と、当該複数の照光部からの光を各表示手段の全面に拡散させる導光部と、反射部とを備えてなり、この反射部は、各表示手段の内の最大面積である表示手段における表示面の全面に複数の照光部からの光を反射させる半透過型であることを特徴とする。
【００１１】
請求項４記載の発明は、所定の面と当該面の背面とにそれぞれ表示手段を備えた携帯端末装置であって、表示手段の複数を照明する１つの照明手段を具備したことを特徴とする。
【００１２】
請求項５記載の発明は、メイン表示手段と、当該メイン表示手段の背面のサブ表示手段とを備え、メイン表示手段を被装すると共にサブ表示手段を露出させる形態と、メイン表示手段とサブ表示手段とを露出させる形態とを取り得るよう変形可能に構成された携帯端末装置であって、メイン表示手段とサブ表示手段とを透過により照明する１つの照明手段を具備したことを特徴とする。
【００１３】
請求項６記載の発明は、メイン表示手段と当該メイン表示手段の背面のサブ表示手段とを備えた表示側端末本体と、操作ボタンを備えた操作側端末本体とが、メイン表示手段と操作ボタンとが対向するようヒンジ部を介して開閉可能に連結されてなる携帯端末装置であって、表示側端末本体は、メイン表示手段とサブ表示手段とを透過により照明する１つの照明手段を具備したことを特徴とする。
【００１４】
請求項７記載の発明は、メイン表示手段と当該メイン表示手段の背面のサブ表示手段とを備えた表示側端末本体と、操作ボタンを備えた操作側端末本体とが、１つの端末本体に配設されたスライド部と他の端末本体に配設されて該スライド部を滑動可能に支持する滑合支持部とにより、操作側端末本体でメイン表示手段を被装可能に連結されてなる携帯端末装置であって、表示側端末本体は、メイン表示手段とサブ表示手段とを透過により照明する１つの照明手段を具備したことを特徴とする。
【００１５】
請求項８記載の発明は、携帯端末装置がメイン表示手段を被装する形態であるか否かを検知する検知手段と、検知手段により被装する形態と検知された場合に照明手段への給電量を被装する形態でない場合よりも少なくするよう制御する制御手段と、を具備したことを特徴とする。
【００１６】
請求項９記載の発明は、操作側端末本体がヒンジ部により閉じられてメイン表示手段を被装する形態であるか否かを検知する検知手段と、検知手段により被装する形態と検知された場合に照明手段への給電量を被装する形態でない場合よりも少なくするよう制御する制御手段と、を具備したことを特徴とする。
【００１７】
請求項１０記載の発明は、操作側端末本体がメイン表示手段を被装する形態であるか否かを検知する検知手段と、検知手段により被装する形態と検知された場合に照明手段への給電量を被装する形態でない場合よりも少なくするよう制御する制御手段と、を具備したことを特徴とする。
【００１８】
請求項１１記載の発明は、上記した検知手段が、１つの端末本体に配設されたマグネットと、被装する形態で該マグネットに反応可能であるよう他の端末本体に配設された磁気反応型スイッチとを備えてなり、この検知手段による被装する形態であるか否かの検知は、マグネットと磁気反応型スイッチとの距離が磁気反応型スイッチの反応する距離であるか否かにより行うことを特徴とする。
【００１９】
請求項１２記載の発明は、表示側端末本体は、１つの面からメイン表示手段と照明手段とが配設されると共に、当該面の背面からサブ表示手段が配設された支持体を備え、照明手段はメイン表示手段の表示面全体を照明可能であるよう当該メイン表示手段と支持体との間に配設され、上記した支持体には、メイン表示手段より表示面における縦横とも小さいサイズであるサブ表示手段の表示面全体を照明手段により照明可能とさせる所要広さの貫通穴が形成されたことを特徴とする。
【００２０】
請求項１３記載の発明は、上記した照明手段が、当該照明手段の表示面方向における貫通穴以外の位置に配設された複数の照光部と、該複数の照光部からの光をメイン表示手段とサブ表示手段との表示面全体に導光する導光部と、を備えてなり、上記した制御手段が、検知手段により被装する形態と検知された場合にサブ表示手段の表示面近傍である所定の照光部のみに給電することを特徴とする。
【００２１】
請求項１４記載の発明は、上記した照明手段が、当該照明手段の表示面方向における貫通穴以外の位置に配設された複数の照光部と、該複数の照光部からの光をメイン表示手段とサブ表示手段との表示面全体に導光する導光部と、を備えてなり、上記した制御手段が、検知手段により被装する形態と検知された場合にはサブ表示手段の表示面から近い順に略半分の照光部のみに給電することを特徴とする。
【００２２】
【発明の実施の形態】
次に、本発明に係る携帯端末装置を携帯電話に適用した場合の実施形態を、図面に基づいて説明する。図１から図３は、ヒンジ部を用いた第１の筐体構造による本実施形態としての携帯電話を例示し、図４から図７は、スライド式の第２の筐体構造による本実施形態としての携帯電話を例示している。また、図８から図１３は、上記第１、第２の筐体構造に共通に適用可能な表示デバイスとその制御について説明するための図である。
まず、ヒンジ部を用いた第１の筐体構造による実施形態から説明する。
【００２３】
本発明の実施形態としての第１の筐体構造による携帯電話は、図１から図３に示すように、入力された電話番号やメールのテキスト文などの各種情報を表示するメイン表示部１４を備えた表示側端末本体１１と、使用者が入力を行う操作ボタン１６を備えた操作側端末本体１２とが、この表示側端末本体１１と操作側端末本体１２とのそれぞれに一体成形されたヒンジ部１３により、上記のメイン表示部１４と操作ボタン１６とが対向するよう開閉可能に連結されて構成されている。
【００２４】
上記構成により、表示側端末本体１１と操作側端末本体１２とをヒンジ部１３により開閉させることで、図１、図２に示すメイン表示部１４を被装する形態（閉状態）と、図３に示すメイン表示部１４を露出させる形態（開状態）とをとることができる。
すなわち、この２つの端末本体をヒンジ部１３により閉じる（折り畳む）ことで操作側端末本体１２がメイン表示部１４を被装する形態（閉状態）となり、この２つの端末本体をヒンジ部１３により開くことで、メイン表示部１４と操作ボタン１６とが露出される形態（開状態）となる。
【００２５】
また、表示側端末本体１１は、図１、図３に示すように上記したメイン表示部１４の背面に、時刻や着信通知などの各種情報を表示するサブ表示部１５を備える。このサブ表示部１５は、上記のようにメイン表示部１４の背面に配設されているため、２つの端末本体が上記した開状態であっても閉状態であっても露出されている。
このメイン表示部１４とサブ表示部１５とにより表示する情報は、予め用意されたメニューから使用者が選択することができ、各表示部の活用方法は使用者の用途や好みに応じて切り換えることができる。
【００２６】
メイン表示部１４は、メインＬＣＤ（Ｌｉｑｕｉｄ　Ｃｒｙｓｔａｌ　Ｄｉｓｐｌａｙ）３１を有してこのメインＬＣＤ３１により情報の表示を行う。また、サブ表示部１５は、サブＬＣＤ３２を有してこのサブＬＣＤ３２により情報の表示を行う。
上記したメインＬＣＤ３１とサブＬＣＤ３２とは透過型液晶パネルであり、バックライト３３という１つの照明手段からの透過照明により照明される。サブ表示部１５の表示面は、メイン表示部１４の表示面よりも縦横共に小さいサイズであり、且つメイン表示部１４の真裏に配設され、このことにより上記のバックライト３３による各表示部への照明が行われる。
表示デバイスの詳細については、図８から１３を用いて後述する。
【００２７】
また、表示側端末本体１１は、この表示側端末本体１１の長手方向に出没可能なアンテナ１９をメイン表示部１４に対する背面に備える。また、表示側端末本体１１が受話部であるレシーバ１７を、操作側端末本体１２が送話部であるマイク１８を、それぞれ備えることで、電話機能における使用者の送話と受話を行う。
この携帯電話としての通話機能やメール機能などの各機能は、表示デバイスＦＰＣ（フレキシブルプリント基板）３Ａなど表示側端末本体１１と操作側端末本体１２とに内装された各基板における所要の電子回路（図示せず）により実現され、内蔵の着脱式電源（不図示）により動作する。上記した携帯電話としての通話機能やメール機能は周知のものである。
【００２８】
また、表示側端末本体１１と操作側端末本体１２とには、ヒンジ部１３によりこの２つの端末本体が閉じられた閉状態であるか否かを検知する検知手段として、何れか１つの端末本体にマグネット（不図示）が、他の端末本体に磁気反応型スイッチ（不図示）が、このマグネットの磁気によりこの磁気反応型スイッチが閉状態で反応可能であるようにそれぞれ配設されている。このマグネットと磁気反応型スイッチとの位置は、ヒンジ部１３により２つの端末本体が閉じられた閉状態でマグネットの磁気にこの磁気反応型スイッチが反応し、ヒンジ部１３により２つの端末本体が開かれた開状態でマグネットの磁気にこの磁気反応型スイッチが反応しない位置であれば特に限定されない。
上記のようにマグネットと磁気反応型スイッチとが配設されることで、ヒンジ部１３により２つの端末本体が開閉されることに連動して上記マグネットと上記磁気反応型スイッチとの距離が変化した際、その距離がこの磁気反応型スイッチの上記マグネットに対して反応する距離であるか否かにより、この磁気反応型スイッチはＯＮ／ＯＦＦを切り換えることとなる。
また、このＯＮ／ＯＦＦの切り換えにより送出される信号は、上記した端末本体内の電子回路からなる制御手段（不図示）により、開閉検知信号（メイン表示部１４が被装された形態であるか否かを検知した検知信号）として後述する表示デバイスの制御に用いられることとなる。
【００２９】
次に、本発明の他の実施形態としての、スライド式による第２の筐体構造を用いた携帯電話について説明する。
本発明の他の実施形態としての第２の筐体構造による携帯電話は、図４から図７に示すように、入力された電話番号やメールのテキスト文などの各種情報を表示するメイン表示部２４を備えた表示側端末本体２１と、使用者が入力を行う操作ボタン２６を備えた操作側端末本体２２とが、表示側端末本体２１の左右にそれぞれ一体成形されたスライド部２３ａと操作側端末本体２２の左右側面にそれぞれ配設されたスライドレール（滑合支持部）２３ｂとによりスライド可能（滑動可能）に連結されて構成されている。
すなわち、表示側端末本体２１に配設されたスライド部２３ａと、操作側端末本体２２に配設されてスライド部２３ａを滑動可能に支持するスライドレール２３ｂとが、表示側端末本体２１と操作側端末本体２２とをスライドにより形態変化可能とするように接続されて構成されている。
【００３０】
上記構成により、表示側端末本体２１と操作側端末本体２２とは、端末本体の長手方向にスライド可能に連結され、メイン表示部２４を操作側端末本体２２が被装する形態（閉状態）とメイン表示部２４が露出される形態（展開状態）とをとることができる。
すなわち、スライド部２３ａとスライドレール２３ｂとによりこの２つの端末本体を閉じさせるようにスライドさせることで、操作側端末本体２２がメイン表示部２４を被装する形態（閉状態）となり、スライド部２３ａとスライドレール２３ｂとによりこの２つの端末本体を展開させる（伸長させる）ようにスライドさせることで、メイン表示部２４が露出される形態（展開状態）となる。
【００３１】
また、表示側端末本体２１は、図４、図６に示すように上記したメイン表示部２４の背面に、時刻や着信通知などの各種情報を表示するサブ表示部２５を備える。このサブ表示部２５は、上記のようにメイン表示部２４の背面に配設されているため、２つの端末本体が上記した展開状態であっても閉状態であっても露出されている。
このメイン表示部２４とサブ表示部２５とにより表示する情報は、第１の筐体構造による実施形態と同様に、予め用意されたメニューから使用者が選択することができ、各表示部の活用方法は使用者の用途や好みに応じて切り換えることができる。
【００３２】
また、操作ボタン２６は、操作側端末本体２２における上記閉状態でメイン表示部２４と対向する面の背面に配設され、このことにより、図５、図７に示すように２つの端末本体が展開状態であっても閉状態であっても露出されている。
【００３３】
メイン表示部２４は、メインＬＣＤ３１を有してこのメインＬＣＤ３１により情報の表示を行う。また、サブ表示部２５は、サブＬＣＤ３２を有してこのサブＬＣＤ３２により情報の表示を行う。
上記したメインＬＣＤ３１とサブＬＣＤ３２とは透過型液晶パネルであり、バックライト３３という１つの照明手段からの透過照明により照明される。サブ表示部２５の表示面は、メイン表示部２４の表示面よりも縦横共に小さいサイズであり、且つメイン表示部２４の真裏に配設され、このことにより上記のバックライト３３による各表示部への照明が行われる。
表示デバイスの詳細については、図８から１３を用いて後述する。
【００３４】
また、表示側端末本体２１は、この表示側端末本体２１の長手方向に出没可能なアンテナ２９をメイン表示部２４に対する背面に備える。また、表示側端末本体２１が受話部であるレシーバ２７を、操作側端末本体２２が送話部であるマイク２８を、それぞれ備えることで、電話機能における使用者の送話と受話を行う。
この携帯電話としての通話機能やメール機能などの各機能は、第１の筐体構造による実施形態と同様に、表示デバイスＦＰＣ３Ａなど表示側端末本体２１と操作側端末本体２２とに内装された各基板における所要の電子回路（図示せず）により実現され、内蔵の着脱式電源（不図示）により動作する。上記した携帯電話としての通話機能やメール機能は周知のものである。
【００３５】
また、表示側端末本体２１と操作側端末本体２２とには、スライド部２３ａとスライドレール２３ｂとによりこの２つの端末本体が閉じられた閉状態であるか否かを検知する検知手段として、何れか１つの端末本体にマグネット（不図示）が、他の端末本体に磁気反応型スイッチ（不図示）が、このマグネットの磁気によりこの磁気反応型スイッチが閉状態で反応可能であるようにそれぞれ配設されている。このマグネットと磁気反応型スイッチとの位置は、２つの端末本体が閉じられてメイン表示部２４が被装された閉状態でマグネットの磁気にこの磁気反応型スイッチが反応し、２つの端末本体が展開されてメイン表示部２４が露出された展開状態でマグネットの磁気にこの磁気反応型スイッチが反応しない位置であれば特に限定されない。
上記のようにマグネットと磁気反応型スイッチとが配設されることで、スライド部２３ａとスライドレール２３ｂとにより２つの端末本体がスライドされることに連動して上記マグネットと上記磁気反応型スイッチとの距離が変化した際、その距離がこの磁気反応型スイッチの上記マグネットに対して反応する距離であるか否かにより、この磁気反応型スイッチはＯＮ／ＯＦＦを切り換えることとなる。
また、このＯＮ／ＯＦＦの切り換えにより送出される信号は、上記した端末本体内の電子回路からなる制御手段（不図示）により、開閉検知信号（メイン表示部２４が被装された形態であるか否かを検知した検知信号）として後述する表示デバイスの制御に用いられることとなる。
【００３６】
次に、上記した第１、第２の筐体構造による実施形態に共通に用いられる表示デバイス３とその周辺について説明する。図８は、表示側端末本体１１，２１の表示デバイス３近傍における概要を例示する拡大縦断面図である。図８中、ＬＣＤからの配線用ＦＰＣは省略して示している。
【００３７】
表示デバイス３は、図８に示すように、プラスチック製の支持体であるフレーム３４におけるメインスクリーン１４ａ，２４ａと平行である平面部分に、そのメインスクリーン１４ａ，２４ａと対向する面からバックライト３３、調節部３５、メインＬＣＤ３１がこの順に順次貼設されると共に、そのサブスクリーン１５ａ，２５ａと対向する面からサブＬＣＤ３２が貼設されて構成される。
このように構成された表示デバイス３は、メインＬＣＤ３１が透明部材からなりこのメインＬＣＤ３１を保護するメインスクリーン１４ａ，２４ａから、サブＬＣＤ３２が透明部材からなりこのサブＬＣＤ３２を保護するサブスクリーン１５ａ，２５ａから、使用者によりそれぞれの表示面全体を外部から視認できるように表示側端末筐体１１ａ，２１ａに内装されている。
上記のメインスクリーン１４ａ，２４ａとサブスクリーン１５ａ，２５ａには、表面に反射防止などのコーティングが施され、このことにより使用者がその内部の各ＬＣＤを好適に視認できるようになっている。
【００３８】
この表示デバイス３の構成について、図８から図１０を用いて詳細に説明する。
上記した各ＬＣＤやバックライトを支持するフレーム３４には、これらのものを支持する上記した平面部分に、その平面部分に対してメインＬＣＤ３１側に貼設されたバックライト３３でその背面側に貼設されたサブＬＣＤ３２の表示面全体を照明可能とさせる所要広さの貫通穴３４ａが形成されている。この貫通穴３４ａの広さは換言すると、サブＬＣＤ３２の大きさからそのサブＬＣＤ３２をフレーム３４に貼着させる両面テープ（不図示）の面積を除いた広さとなる。
このように貫通穴３４ａが形成されることにより、透過型液晶パネルであるメインＬＣＤ３１と、その真裏に配設されて表示面のサイズが縦横共にメインＬＣＤ３１より小さい透過型液晶パネルであるサブＬＣＤ３２とが、バックライト３３という１つの照明手段から透過照明によりそれぞれの表示面全体を照明される構成となっている。
【００３９】
このフレーム３４の上記平面部分に貼着されるバックライト３３は、４つのＬＥＤ（Ｌｉｇｈｔ　Ｅｍｉｔｔｉｎｇ　Ｄｉｏｄｅ）（照光部）３３ａ１〜３３ａ４からなるＬＥＤ部３３ａと、それらＬＥＤからの光をメインＬＣＤ３１とサブＬＣＤ３２との表示面全体に導光する導光板３３ｂと、半透過で光を反射させる反射シート３３ｃとを備えてなる。
すなわち、フレーム３４の上記平面部分には、まず反射シート３３ｃが貼着され、その反射シート３３ｃの上から導光板３３ｂが貼着され、ＬＥＤ部３３ａはフレーム３４の上記平面部分における短辺部の外縁に配設される。
【００４０】
サブＬＣＤ３２は、メインＬＣＤ３１より比較的少ない光量（暗い照明）であっても使用者によりその表示情報を好適に視認可能なものであり、このことにより、反射シート３３ａがメインＬＣＤ３１の表示面全面に向けて光を反射させても、その反射シート３３ａの半透過性により貫通穴３４ａを通過してくる光量でサブＬＣＤ３２の表示情報を好適に視認するに十分な光量が得られる。
【００４１】
調整部３５は、バックライト３３とメインＬＣＤ３１との間に配設され、バックライト３３からの光がメインＬＣＤ３１の透過照明として用いるに好適なものとなるように調節する。この調節部３５は、輝度を上昇させる輝度上昇フィルム３５ａ，３５ａ’と、光を拡散させる拡散シート３５ｂとを備えて構成される。この調節部３５の構成は、バックライト３３やメインＬＣＤ３１の種類などにより所望の光特性が得られるよう好適なものを用いてよい。
【００４２】
フレーム３４のサブＬＣＤ３２が配設された面には、サブＬＣＤ３２とその外周に設けられたフレーム３４の保護壁部とのさらに外周部に、表示デバイスＦＰＣ（フレキシブルプリント基板）３Ａが配設される。この表示デバイスＦＰＣ３Ａが配設される表示面方向のスペースは、サブＬＣＤ３２がメインＬＣＤ３１より表示面方向に縦横共に小さいことによって生じるものである。
【００４３】
この表示デバイスＦＰＣ３Ａは、上記した所要の電子回路を操作側端末本体１２，２２内部とともに備えるものであり、メインＬＣＤ３１、サブＬＣＤ３２、バックライト３３のそれぞれから配線用のＦＰＣが接続される。
メインＬＣＤ用ＦＰＣ３１Ａは、図９（ａ）に示すようにメインＬＣＤ３１からフレーム３４側面部に一度折り返されてから、さらにその接続部分が図９（ｂ）に示すようにフレーム３４側面部から折り返されて表示デバイスＦＰＣ３Ａに接続される。
また、サブＬＣＤ用ＦＰＣ３２Ａは、フレーム３４におけるサブＬＣＤ３２の外周である上記した保護壁部の切れ目部分から、図９（ｂ）に示すように表示面方向に敷設されて表示デバイスＦＰＣ３Ａに接続される。
さらに、バックライト用ＦＰＣ３３Ａは、図１０に示すようにフレーム３４から側面方向に突設されたものが、図９（ｂ）に示すようにその側面方向から折り返されて表示デバイスＦＰＣ３Ａに接続される。
【００４４】
次に、ＬＥＤ部３３ａを照光させるための給電の制御について説明する。
上記した制御手段は、図１１に示すように、上記した検知手段の磁気反応型スイッチのＯＮ／ＯＦＦが切り換えられることによる開閉検知信号を用いて、バックライト３３におけるＬＥＤ３３ａ１〜３３ａ４への給電を制御する。
【００４５】
このＬＥＤ３３ａ１〜３３ａ４の回路構成は、ＦＰＣなどに形成されたパターンとＬＥＤとにより構成される。以下に、図１２（ａ）に示す直列型による第１の回路構成と、図１２（ｂ）に示す入出力端子を切り替え可能な第２の回路構成との場合について説明する。
まず、図１２（ａ）に示す第１の回路構成は、ＬＥＤ全てを直列に接続することによりそれぞれのＬＥＤにおける輝度（光度）のばらつきを抑える構成となっている。
また、図１２（ｂ）に示す第２の回路構成は、入出力端子を切り替えることにより給電して光らせるＬＥＤを切り替えることができる。
【００４６】
上記した制御手段による制御は、操作側端末本体１２，２２がメイン表示部１４，２４を被装する形態であるという上記開閉検知信号を受けた場合、この被装する形態であるという開閉検知信号を受けていない場合（この被装する形態でない場合）よりもＬＥＤ部３３ａへの給電量を少なくするものである。
サブＬＣＤ３２は、上述したようにメインＬＣＤ３１よりも少ない光量でその表示情報を好適に視認することが可能なものであるため、上記被装する形態で上記被装する形態でない場合と同じ給電をＬＥＤ部３３ａに行うと、サブ表示部の表示情報を好適に視認するのに適切な消費電力よりも多くの電力を消費することとなり、その分不要な電力消費が発生してしまうこととなる。
この制御手段による給電の制御は、上記の不要な電力消費を抑えることを目的としたものである。
【００４７】
上記した制御手段による上記第１の回路構成に対する給電の制御は、上記被装する形態であるという開閉検知信号を受けた場合、この第１の回路構成による端子１と端子２からの直列に接続された全ＬＥＤへの給電量を、被装する形態であるという開閉検知信号を受けていない場合よりも少なくするものである。
この制御により、この被装する形態である場合にバックライトの照明を、入出力端子の切り替えによる回路の複雑化を招くことなくその形態での適切にして充分な輝度とすることができ、不要な消費電力を抑えて内蔵電池の連続使用時間を長くすることができる。
【００４８】
また、上記した制御手段による上記第２の回路構成に対する給電の制御は、上記被装する形態であるという開閉検知信号を受けた場合、この第２の回路構成による端子１と端子２からの給電を端子３と端子４からの給電とすることにより、発光させるＬＥＤをＬＥＤ３３ａ２と３３ａ３の２つのみとし、その分給電量を少なくするものである。
この発光させるＬＥＤを切り替える制御により、メイン表示部１４，２４が被装された形態でない場合にはバックライト３３がそのメイン表示部の全面を照明しているのに対し、メイン表示部１４，２４が被装された形態である場合には、サブ表示部１５，２５の表示面近傍であるＬＥＤのみが給電されて発光することとなる。このことにより、メイン表示部全面を照明する場合よりも照光範囲を適切化して発光光量の効率的活用ができると共に、上記した不要な消費電力を抑えて内蔵電池の連続使用時間を長くすることができる。
【００４９】
また、上記した２つの制御を組み合わせる制御は、メイン表示部１４，２４が被装された形態である場合、第２の回路構成による端子１と端子２からの給電を端子３と端子４からの給電とするとともに、ＬＥＤ部３３ａによる照光がその被装された形態でのサブ表示部１５，２５における表示情報の視認に適切にして充分な輝度となるようその給電量を少なくするものである。
この制御により、メイン表示部１４，２４が被装された形態である場合に、サブ表示部１５，２５の表示面近傍であるＬＥＤのみを発光させて発光光量の効率的活用ができると共に、上記した不要な消費電力をさらに抑えることができる。
【００５０】
制御手段による上記した各制御により、１つのバックライトによりメイン表示部１４，２４とサブ表示部１５，２５とを照明する本願発明の構成においても、メイン表示部１４，２４が被装された形態である場合に上記したように発光光量の効率的活用ができると共に、不要な電力消費を抑えることができる。
さらに、メイン表示部１４，２４とサブ表示部１５，２５とを同時に照明しながらも、２つの端末本体の形態により効率的に電力消費を制御することができる。
【００５１】
なお、上述した各実施形態は、本発明の実施形態を例示したものであり、本発明の主旨を逸脱しない範囲内において、例えば以下に示すように種々変形して実施することが可能である。
【００５２】
上記した本発明の実施形態では、バックライト３３へのＬＥＤの配置は図１０に示すものとして説明したが、各ＬＥＤがフレーム３４の上記平面方向における貫通穴３４ａ以外の位置に配設されるのであればこれに限定されず、例えば図１３に示すように配置してもよい。
【００５３】
図１３（ａ）は、ＬＥＤ３３ａ１〜３３ａ４を、フレーム３４の上記平面部分における長辺部の外縁に配設したものである。
この場合、メイン表示部１４，２４が被装された形態である場合の図１２（ｂ）に示す第２の回路構成に対する制御手段による制御では、サブ表示部１５，２５の近傍であるＬＥＤ３３ａ２と３３ａ３とのみに給電することとなる。
【００５４】
図１３（ｂ）は、ＬＥＤ８個を、フレーム３４の上記平面部分における長辺部の両辺における外縁に配設したものである。
この場合、メイン表示部１４，２４が被装された形態である場合の図１２（ｂ）に示す第２の回路構成に対する制御手段による制御では、サブ表示部１５，２５の近傍であるＬＥＤ３３ａ２と３３ａ３と３３ａ６と３３ａ７とのみに給電することとなる。
また、このようにＬＥＤの数が４つ以外である場合には、サブ表示部の表示面から近い順にそのＬＥＤの数の略半分のＬＥＤのみに上記制御では給電することとしてよい。
【００５５】
また、上記した本発明の実施形態では、２つの端末本体の形態を検知する検知手段がマグネットと磁気反応型スイッチとによるものとして説明しているが、メイン表示部が被装された形態であるか否かを電気的に検知することができればこのものに限定されず、例えば可変抵抗をヒンジ部又はスライド部に設け、その抵抗値により形態を検知するものであってもよい。
【００５６】
また、上記した各実施形態ではサブ表示部が１つであることとして説明しているが、メイン表示部の背面であれば１つに限定されず、複数であってもよい。この複数とした場合には、フレーム３４におけるそのサブ表示部が配設される各部分に貫通穴を空けた構成となり、メイン表示部が被装された形態である場合には、そのサブ表示部それぞれの近傍のＬＥＤのみに制御手段が給電することとなる。
また、サブ表示部１５，２５は、メイン表示部の真裏の位置であれば、筐体の形状によってメイン表示部と必ずしも平行でなくてもよい。
【００５７】
また、以上に、本発明に係る携帯端末装置を携帯電話に適用したものについて説明したが、このものに限定されず、１つの端末本体の所定の面とその背面とに表示部を備えた携帯端末装置であれば、例えば音声通話機能を持たない携帯端末装置などにも本発明は同様に適用可能である。
【００５８】
【発明の効果】
本発明は以上のように構成したから、下記の有利な効果を奏する。
本発明によれば、表示手段の複数を照明する１つの照明手段を具備したことにより、１つの面と当該面の背面とにそれぞれ表示手段を備えた構成であっても、照明手段を２つ備えることによる厚み、重み、及びコストを発生させないようにすることができる。また、その複数の表示手段を同時に照明する場合であっても、照明手段を２つ発光させることによる電力消費を発生させないようにすることができる。
【００５９】
また、各表示手段と照明手段とを支持する支持体のその支持する平面に、１つの照明手段により各表示手段を照明可能とさせる所要広さの貫通穴を形成することにより、各表示手段への照明を支持体により遮ることなく、効率的な照明ができる。
【００６０】
また、メイン表示手段を被装する形態と検知手段により検知された場合に照明手段への給電量をこの被装する形態でない場合よりも少なくするよう制御する制御手段を備えることにより、メイン表示手段を被装する形態である場合に、消費電力をこの被装する形態でない場合よりも少なく抑えることができる。このことにより、サブ表示手段が、メイン表示手段よりも少ない光量でその表示情報を好適に視認することが可能なものである場合、使用者の視認性を損ねることなく特に顕著な省電力化の達成を可能とする。
【００６１】
また、メイン表示手段を被装する形態であるか否かの検知を、マグネットと磁気反応型スイッチとの距離がこの磁気反応型スイッチの反応する距離であるか否かにより行うことにより、上記の制御における形態変化への反応に適度な遊びを持たせることができる。このことにより、使用者の操作感を、違和感の少ないより好適なものとすることができる。
【００６２】
また、メイン表示手段を被装する形態である場合に、サブ表示手段の表示面近傍である所定の照光部のみに制御手段が給電するようにすることにより、メイン表示手段を被装する形態である場合の照光範囲を適切化することができる。このことにより、発光光量を効率的に活用し、省電力化を図ることができる。
【図面の簡単な説明】
【図１】本発明の実施形態としての第１の筐体構造による携帯電話の開状態における一部切欠した背面側斜視図と、その切欠部における拡大横断面図である。
【図２】同携帯電話の開状態における正面側斜視図である。
【図３】同携帯電話の閉状態における背面側斜視図である。
【図４】本発明の実施形態としての第２の筐体構造による携帯電話の展開状態における一部切欠した背面側斜視図と、その切欠部における拡大横断面図である。
【図５】同携帯電話の展開状態における正面側斜視図である。
【図６】同携帯電話の閉状態における背面側斜視図である。
【図７】同携帯電話の閉状態における正面側斜視図である。
【図８】表示側端末本体１１，２１の表示デバイス３近傍における構成の概要を例示する拡大縦断面図である。
【図９】表示デバイス部３の概要を示す（ａ）正面図と（ｂ）背面図である。
【図１０】バックライト３３とフレーム３４との概要を示す（ａ）正面図と（ｂ）背面図である。
【図１１】本発明の実施形態としての携帯電話における制御に関する回路の概要を例示するブロック図である。
【図１２】本発明の実施形態としての携帯電話におけるＬＥＤに接続させる回路構成を例示する回路図である。
【図１３】バックライト３３における各ＬＥＤの他の配置による、バックライトとフレームとの他の実施例を示す正面図である。
【図１４】従来の携帯端末装置における表示デバイス近傍における構成の概要を例示する拡大縦断面図である。
【符号の説明】
１１、２１　表示側端末本体
１１ａ、２１ａ　表示側端末筐体
１２、２２　操作側端末本体
１３　ヒンジ部
２３ａ　スライド部
２３ｂ　スライドレール（滑合支持部）
１４、２４　メイン表示部
１４ａ、２４ａ　メインスクリーン
１５、２５　サブ表示部
１５ａ、２５ａ　サブスクリーン
１６、２６　操作ボタン
１７、２７　レシーバ（受話部）
１８、２８　マイク（送話部）
１９、２９　アンテナ
３　表示デバイス
３１　メインＬＣＤ
３２　サブＬＣＤ
３３　バックライト（照明部）
３３ａ　ＬＥＤ部
３３ａ１〜３３ａ４　ＬＥＤ（照光部）
３３ｂ　導光板
３３ｃ　反射シート
３４　フレーム（支持体）
３４ａ　貫通穴
３５　調整部
３５ａ、３５ａ’　輝度上昇フィルム
３５ｂ　拡散シート
３Ａ　表示デバイスＦＰＣ
３１Ａ　メインＬＣＤ用ＦＰＣ
３２Ａ　サブＬＣＤ用ＦＰＣ
３３Ａ　バックライト用ＦＰＣ
５３、５３’　バックライト（従来の照明部）
５３ａ、５３ａ’　ＬＥＤ（従来の照光部）
５３ｂ、５３ｂ’　導光板
５３ｃ、５３ｃ’　反射シート
５４　フレーム（従来の支持体）
【図１】
2004021238.tif 000003
【図２】
2004021238.tif 000004
【図３】
2004021238.tif 000005
【図４】
2004021238.tif 000006
【図５】
2004021238.tif 000007
【図６】
2004021238.tif 000008
【図７】
2004021238.tif 000009
【図８】
2004021238.tif 000010
【図９】
2004021238.tif 000011
【図１０】
2004021238.tif 000012
【図１１】
2004021238.tif 000013
【図１２】
2004021238.tif 000014
【図１３】
2004021238.tif 000015
【図１４】
2004021238.tif 000016